(57)【要約】【課題】送信手段が変更された場合でも、所定の方向から放送用信号を所定のレベルで受信することが可能となる、受信器を提供すること。【解決手段】受信器１は、第１の送信所から無線送信された第１の放送用信号、又は第２の送信所から無線送信された第２の放送用信号のいずれか一方を受信する受信器１であって、第１の放送用信号を受信する第１の受信経路２２と、第２の放送用信号を受信する第２の受信経路２３と、第１の受信経路２２と、第２の受信経路２３を切り替える切替部２４ａ、２４ｂと、を備えている。【選択図】図２
2014039146.tif 000002
【特許請求の範囲】
【請求項１】
第１の送信手段から無線送信された第１の放送用信号、又は第２の送信手段から無線送信された第２の放送用信号のいずれか一方を受信する受信器であって、
前記第１の放送用信号を受信する第１の受信経路と、
前記第２の放送用信号を受信する第２の受信経路と、
前記第１の受信経路と、前記第２の受信経路を切り替える切替手段と、
を備えた受信器。
【請求項２】
前記切替手段を制御する制御手段を備え、
前記制御手段は、前記切替手段の制御を行うための所定条件が充足したか否かを判定し、当該所定条件が充足したと判定した場合に前記切替手段の制御を行う、
請求項１に記載の受信器。
【請求項３】
計時動作を行う計時手段を備え、
前記制御手段は、前記計時手段の計時結果に基づいて、前記切替手段の制御を行う、
請求項２に記載の受信器。
【請求項４】
前記第１の放送用信号又は前記第２の放送用信号から、前記切替手段の切り替えを行うタイミングの基準となる基準信号を抽出する抽出手段を備え、
前記制御手段は、前記抽出手段にて前記第１の放送用信号又は前記第２の放送用信号から抽出された前記基準信号に基づいて、前記切替手段の制御を行う、
請求項２又は３に記載の受信器。
【請求項５】
前記第１の放送用信号又は前記第２の放送用信号のレベルを測定するレベル測定手段を備え、
前記制御手段は、前記レベル測定手段にて測定された前記第１の放送用信号又は前記第２の放送用信号のレベルに基づいて、前記切替手段の制御を行う、
請求項２から４のいずれか一項に記載の受信器。
【請求項６】
前記第１の受信経路又は前記第２の受信経路のいずれか一方に、前記第１の放送用信号又は前記第２の放送用信号のレベルを所定レベルに調整するレベル調整手段を設けた、
請求項１から５のいずれか一項に記載の受信器。
【請求項７】
前記第２の放送用信号が、前記第１の放送用信号よりも信号のレベルが高い信号であって、
前記レベル調整手段は、前記第２の受信経路に設けられた減衰手段であって、前記第２の放送用信号のレベルを、前記第１の放送用信号のレベルと前記第２の放送用信号のレベルとの差分だけ減らす減衰手段である、
請求項６に記載の受信器。
【請求項８】
前記第２の送信手段が、前記第１の送信手段が前記第１の放送用信号を送信する位置とは異なる位置から前記第２の放送用信号を送信する場合において、
前記第１の受信経路に、前記第１の放送用信号を受信する第１の受信アンテナを接続し、
前記第２の受信経路に、前記第２の放送用信号を受信する第２の受信アンテナを接続した、
請求項１から７のいずれか一項に記載の受信器。
【発明の詳細な説明】
【技術分野】
【０００１】
本発明は、受信器に関する。
【背景技術】
【０００２】
従来から、放送用信号を受信するための受信システムが普及している。この受信システムは、概略的に、東京タワー等の送信所から無線送信された放送用信号を受信する受信アンテナと、受信アンテナにて受信された放送用信号を増幅し、当該増幅した放送用信号をテレビ受信機に出力するブースタとを備えている（例えば、特許文献１参照）。
【先行技術文献】
【特許文献】
【０００３】
【特許文献１】特開２０１１−２３４２７６号公報
【発明の概要】
【発明が解決しようとする課題】
【０００４】
ところで、関東地方においては、２０１２年末に、東京タワーから東京スカイツリーへと送信所が変更される。この送信所の変更に伴って、従来の受信システムにおいては、以下に示す問題が生じる可能性があった。
【０００５】
例えば、東京スカイツリーにおける放送用信号の送信高さは、東京タワーにおける放送用信号の送信高さの約２倍であり、且つ、東京スカイツリーの立地場所（具体的には緯度、経度）は、東京タワーの立地場所とは異なる。これにより、東京スカイツリーから無線送信される放送用信号は、東京タワーから無線送信される放送用信号に比べて、都市減衰の影響を受けにくくなるので、放送用信号の受信地域の一部では、送信所の変更後の放送用信号の受信レベルが送信所の変更前の放送用信号の受信レベルよりも高くなる（具体的には、１０ｄＢ〜１５ｄＢ程度高くなる）ことが予想される。この場合において、上記受信アンテナから受信された放送用信号のレベルが過大になると、上記ブースタにおいて、サチュレーションの発生によりひずみが増大することで、この受信システムに接続されたテレビ受像機に放送が映らなくなるという問題が生じる可能性があった。
【０００６】
また、上述したように、東京スカイツリーと東京タワーとの送信高さ及び立地場所とが異なるため、放送用信号の受信地域の一部では、上記受信アンテナにおける放送用信号を受信する向きが、送信所の変更前の向きと送信所の変更後の向きとで異なることにより、上記受信アンテナが放送用信号を受信することができなくなるという問題が生じる可能性があった。
【０００７】
本発明は、上記に鑑みてなされたものであって、送信所の如き送信手段が変更された場合でも、所定の方向から放送用信号を所定のレベルで受信することが可能となる、受信器を提供することを目的とする。
【課題を解決するための手段】
【０００８】
上述した課題を解決し、目的を達成するために、請求項１に記載の受信器は、第１の送信手段から無線送信された第１の放送用信号、又は第２の送信手段から無線送信された第２の放送用信号のいずれか一方を受信する受信器であって、前記第１の放送用信号を受信する第１の受信経路と、前記第２の放送用信号を受信する第２の受信経路と、前記第１の受信経路と、前記第２の受信経路を切り替える切替手段と、を備えている。
【０００９】
また、請求項２に記載の受信器は、請求項１に記載の受信器において、前記切替手段を制御する制御手段を備え、前記制御手段は、前記切替手段の制御を行うための所定条件が充足したか否かを判定し、当該所定条件が充足したと判定した場合に前記切替手段の制御を行う。
【００１０】
また、請求項３に記載の受信器は、請求項２に記載の受信器において、計時動作を行う計時手段を備え、前記制御手段は、前記計時手段の計時結果に基づいて、前記切替手段の制御を行う。
【００１１】
また、請求項４に記載の受信器は、請求項２又は３に記載の受信器において、前記第１の放送用信号又は前記第２の放送用信号から、前記切替手段の切り替えを行うタイミングの基準となる基準信号を抽出する抽出手段を備え、前記制御手段は、前記抽出手段にて前記第１の放送用信号又は前記第２の放送用信号から抽出された前記基準信号に基づいて、前記切替手段の制御を行う。
【００１２】
また、請求項５に記載の受信器は、請求項２から４のいずれか一項に記載の受信器において、前記第１の放送用信号又は前記第２の放送用信号のレベルを測定するレベル測定手段を備え、前記制御手段は、前記レベル測定手段にて測定された前記第１の放送用信号又は前記第２の放送用信号のレベルに基づいて、前記切替手段の制御を行う。
【００１３】
また、請求項６に記載の受信器は、請求項１から５のいずれか一項に記載の受信器において、前記第１の受信経路又は前記第２の受信経路のいずれか一方に、前記第１の放送用信号又は前記第２の放送用信号のレベルを所定レベルに調整するレベル調整手段を設けている。
【００１４】
また、請求項７に記載の受信器は、請求項６に記載の受信器において、前記第２の放送用信号が、前記第１の放送用信号よりも信号のレベルが高い信号であって、前記レベル調整手段は、前記第２の受信経路に設けられた減衰手段であって、前記第２の放送用信号のレベルを、前記第１の放送用信号のレベルと前記第２の放送用信号のレベルとの差分だけ減らす減衰手段である。
【００１５】
また、請求項８に記載の受信器は、請求項１から７のいずれか一項に記載の受信器において、前記第２の送信手段が、前記第１の送信手段が前記第１の放送用信号を送信する位置とは異なる位置から前記第２の放送用信号を送信する場合において、前記第１の受信経路に、前記第１の放送用信号を受信する第１の受信アンテナを接続し、前記第２の受信経路に、前記第２の放送用信号を受信する第２の受信アンテナを接続している。
【発明の効果】
【００１６】
請求項１に記載の受信器によれば、第１の放送用信号を受信する第１の受信経路と、第２の放送用信号を受信する第２の受信経路と、第１の受信経路と、第２の受信経路を切り替える切替手段とを備えているので、所定の方向から第１の放送用信号及び第２の放送用信号を所定のレベルで受信することができる。そのため、例えば、第１の送信手段から第２の送信手段へと変更された場合でも、第２の放送用信号を、第１の放送用信号と同じレベルで受信することができると共に、第１の放送用信号と同じレベルで外部機器に出力することができる。また、受信器が第１の放送用信号を受信する方向と、受信器が第２の放送用信号を受信する方向とが異なる場合でも、第１の放送用信号及び第２の放送用信号を受信することができる。
【００１７】
また、請求項２に記載の受信器によれば、制御手段が、所定条件が充足したと判定した場合に切替手段の制御を行うので、切替手段の切り替えを自動的に行うことができ、使用性を向上させることができる。
【００１８】
また、請求項３に記載の受信器によれば、制御手段が、計時手段の計時結果に基づいて、切替手段の制御を行うので、第１の送信手段から第２の送信手段へと変更される必要タイミングで切替手段の切り替えを行うことができ、使用性を一層向上させることができる。
【００１９】
また、請求項４に記載の受信器によれば、制御手段が、抽出手段にて第１の放送用信号又は第２の放送用信号から抽出された基準信号に基づいて、切替手段の制御を行うので、切替手段の切り替えを正確に行うことができ、信頼性を向上させることができる。また、ユーザが受信器に対して所定の設定を行う必要がないので、受信器の取り付けが容易となり、設置性を向上させることができる。
【００２０】
また、請求項５に記載の受信器によれば、制御手段が、レベル測定手段にて測定された第１の放送用信号又は前記第２の放送用信号のレベルに基づいて、切替手段の制御を行うので、切替手段の切り替えを一層正確に行うことができ、信頼性も一層向上させることができる。また、送信手段から所定信号を含めた放送用信号を送信する必要がないので、当該送信手段の管理者の手間を省くことができ、利便性を向上させることができる。
【００２１】
また、請求項６に記載の受信器によれば、第１の受信経路又は第２の受信経路のいずれか一方に、レベル調整手段を設けたので、第１の放送用信号又は第２の放送用信号のレベルを所定レベルに調整することができる。そのため、例えば、第２の放送用信号を、第１の放送用信号と同じレベルで受信することができると共に、第１の放送用信号と同じレベルで外部機器に出力することができる。
【００２２】
また、請求項７に記載の受信器によれば、第２の受信経路において、第２の放送用信号のレベルを、第１の放送用信号のレベルと第２の放送用信号のレベルとの差分だけ減らす減衰手段を設けたので、第２の放送用信号が、第１の放送用信号よりも信号のレベルが高い場合でも、この第２の放送用信号を、第１の放送用信号と同じレベルで受信することができると共に、第１の放送用信号と同じレベルで外部機器に出力することができる。
【００２３】
また、請求項８に記載の受信器によれば、第１の受信経路に、第１の放送用信号を受信する第１の受信アンテナを接続し、第２の受信経路に、前記第２の放送用信号を受信する第２の受信アンテナを接続したので、第１の受信方向と第２の受信方向とが異なる場合でも、第１の放送用信号及び第２の放送用信号を正確に受信することができ、使用性をさらに一層向上させることができる。また、受信アンテナが１本である場合と比べて、受信アンテナの受信方向を変更する必要がないので、ユーザの手間を省くことができ、利便性を一層向上させることができる。
【図面の簡単な説明】
【００２４】
【図１】実施の形態１に係る受信システムの全体構成を示すブロック図である。
【図２】実施の形態１に係る受信器の構成を示すブロック図である。
【図３】実施の形態２に係る受信器の構成を示すブロック図である。
【図４】実施の形態３に係る受信器の構成を示すブロック図である。
【図５】実施の形態４に係る受信システムの全体構成を示すブロック図である。
【図６】実施の形態４に係る受信器の構成を示すブロック図である。
【発明を実施するための形態】
【００２５】
以下に添付図面を参照して、この発明に係る受信器に係る各実施の形態を詳細に説明する。最初に、受信器の構成を説明し、次に、この受信器の動作について説明し、最後に各実施の形態に対する変形例について説明する。ただし、これら各実施の形態によって本発明が限定されるものではない。なお、各実施の形態に係る受信器の設置対象や適用対象は任意であるが、以下では、住戸の屋外に設置された受信器に適用した場合を例として説明を行う。
【００２６】
〔実施の形態１〕
まず、実施の形態１について説明する。この形態は、計時手段の計時結果に基づいて、前記切替手段の制御を行う形態である。
【００２７】
（構成）
まず、実施の形態１に係る受信システムの構成について説明する。図１は、実施の形態１に係る受信システムの全体構成を示すブロック図である。図１に示すように、受信システム１は、第１の送信所（図示省略）から無線送信された第１の放送用信号、又は第２の送信所（図示省略）から無線送信された第２の放送用信号を受信して、住戸の各部屋に設置されたテレビ受像機（図示省略）等に送信するシステムである。ここで、「放送用信号」とは、テレビ放送信号、及びラジオ放送信号等を含む概念である（なお、実施の形態１〜４では、「放送用信号」をテレビ放送信号として説明する）。また、第１の送信所は、第１の放送用信号を無線送信する第１の送信手段である。また、第２の送信所は、第１の送信所とは異なる位置（ここで、「位置」とは、送信所の立地場所の緯度や経度等、及び送信所における放送用信号を送信する送信高さ等を含める概念である。）に建てられたものであって、第２の放送用信号を無線送信する第２の送信手段である。また、送信所の送信高さや立地場所から、第２の放送用信号は、第１の放送用信号に比べて都市減衰の影響を受けにくくなるとして、後述する受信アンテナ１０が第２の放送用信号を受信したときの信号のレベルは、第１の放送用信号を受信した際の信号のレベルよりも高い（具体的には、１０ｄＢ〜１５ｄＢ程度高い）ものとする（後述する実施の形態２〜４についても同様とする）。また、この受信システム１は、受信アンテナ１０と、受信器２０と、第１のブースタ３０と、分岐器４０と、第２のブースタ５０と、分配器６０とを備えて構成されている。
【００２８】
受信アンテナ１０は、第１の送信所から第１の放送用信号を受信し、又は第２の送信所から第２の放送用信号を受信する受信手段である。具体的には、図１に示すように、受信アンテナ１０は、例えば公知の受信用アンテナで構成されており（後述する実施の形態４の第１の受信アンテナ３１０及び第２の受信アンテナ３１１についても同様とする）、伝送線路７０ａ（具体的には、同軸ケーブルが該当する。なお、後述する伝送線路７０ｂ〜７０ｇ、３７０ａ１、３７０ａ２についても同様とする。）を介して受信器２０と接続されている。そして、この受信アンテナ１０は、第１の送信所から受信した第１の放送用信号、又は第２の送信所から受信した第２の放送用信号を受信器２０に出力する。
【００２９】
受信器２０は、受信アンテナ１０から出力された第１の放送用信号又は第２の放送用信号のレベルを調整する調整手段である。具体的には、図１に示すように、受信器２０は、伝送線路７０ｂを介して第２のブースタ５０と接続されており、当該受信器２０にてレベル調整された第１の放送用信号又は第２の放送用信号を第１のブースタ３０に出力する。なお、この受信器２０の構成の詳細については、後述する。
【００３０】
第１のブースタ３０は、受信器２０から出力された第１の放送用信号又は第２の放送用信号を増幅する第１の増幅手段である。具体的には、図１に示すように、第１のブースタ３０は、例えば公知のブースタで構成されており（第２のブースタ５０についても同様とする）、伝送線路７０ｃを介して分岐器４０と接続されている。そして、この第１のブースタ３０は、当該第１のブースタ３０にて増幅された第１の放送用信号又は第２の放送用信号を分岐器４０に出力する。また、この第１のブースタ３０の設定については、具体的には、受信器２０から出力された第１の放送用信号を所望のレベルで出力できるように設定されている（第２のブースタ５０の設定についても同様とする）。
【００３１】
分岐器４０は、第１のブースタ３０にて増幅された第１の放送用信号又は第２の放送用信号を分岐する分岐手段である。具体的には、図１に示すように、分岐器４０は、例えば公知の分岐器で構成されており（後述する実施の形態２、３の分岐器１２１についても同様とする）、伝送線路７０ｄを介してテレビ受像機と接続されていると共に、伝送線路７０ｅを介して分配器６０と接続されている。
【００３２】
第２のブースタ５０は、分岐器４０から出力された第１の放送用信号又は第２の放送用信号を増幅する第２の増幅手段である。具体的には、図１に示すように、第２のブースタ５０は、伝送線路７０ｆを介して分配器６０と接続されている。そして、この第２のブースタ５０は、当該第２のブースタ５０にて増幅された第１の放送用信号又は第２の放送用信号を分配器６０に出力する。
【００３３】
分配器６０は、第２のブースタ５０にて増幅された第１の放送用信号又は第２の放送用信号を分配する分配手段である。具体的には、図１に示すように、分配器６０は、公知の分配器で構成されており、伝送線路７０ｇを介してテレビ受像機と接続されている。そして、この分配器６０は、当該分配器６０にて分配された第１の放送用信号又は第２の放送用信号を住戸の各部屋に設定されたテレビ受像機に出力する。
【００３４】
（構成−受信器）
次に、受信器２０の構成について説明する。図２は、実施の形態１に係る受信器２０の構成を示すブロック図である。図２に示すように、受信器２０は、入力端子２１、第１の受信経路２２、第２の受信経路２３、切替部２４ａ、２４ｂ、出力端子２５、設定端子２６、計時部２７、バッテリ２８、制御部２９、及び動作表示部３１を備えている。
【００３５】
入力端子２１は、伝送線路７０ａを介して受信アンテナ１０から出力された第１の放送用信号又は第２の放送用信号の入力を受け付け、当該入力された第１の放送用信号又は第２の放送用信号を第１の受信経路２２又は第２の受信経路２３に出力する入力手段である。
【００３６】
第１の受信経路２２は、入力端子２１から出力された第１の放送用信号を受信する経路である。ここで、「第１の放送用信号を受信する」とは、第１の放送用信号を受信することができる受信方向（以下、第１の受信方向と称する）に向けられた受信アンテナ１０から入力端子２１を介して第１の放送用信号を所定のレベルで受信することを意味する。また、「所定のレベル」とは、第１の放送用信号を当該受信器２０に接続されたテレビ受像機に出力した際に、当該テレビ受像機においてテレビ放送が放送可能となる範囲のレベルを意味する。具体的には、図２に示すように、第１の受信経路２２は、当該第１の受信経路２２にて受信された第１の放送用信号を出力端子２５に出力する。
【００３７】
第２の受信経路２３は、入力端子２１から出力された第２の放送用信号を受信する経路である。ここで、「第２の放送用信号を受信する」とは、第２の放送用信号を受信することができる受信方向（以下、第２の受信方向と称する）に向けられた受信アンテナ１０から入力端子２１を介して第２の放送用信号を所定のレベルで受信することを意味する。また、「所定のレベル」とは、第２の放送用信号を当該受信器２０に接続されたテレビ受像機に出力した際に、当該テレビ受像機においてテレビ放送が放送可能となる範囲のレベルを意味し、例えば、第２の放送用信号のレベルが第１の放送用信号のレベルと同じであることが該当する。具体的には、図２に示すように、第２の受信経路２３は、当該第２の受信経路２３にて受信された出力端子２５に出力する。ここで、この第２の受信経路２３の構成は任意であるが、例えば、上述したように、受信アンテナ１０が第２の放送用信号を受信したときの信号のレベルが、第１の放送用信号を受信した際の信号のレベルよりも高いので、第１のブースタ３０又は第２のブースタ５０に第２の放送用信号が入力された際に、ひずみが増大することを抑制することが可能な構成が好ましい。具体的には、図２に示すように、第２の受信経路２３には、アッテネータ（以下、ＡＴＴ２３ａと称する）が設けられている。ＡＴＴ２３ａは、第２の放送用信号のレベルを減衰する減衰手段である。具体的には、ＡＴＴ２３ａは、例えば公知のＡＴＴで構成されており、当該ＡＴＴ２３ａにて減衰された第２の放送用信号を出力端子２５に出力する。また、このＡＴＴ２３ａの減衰量については、例えば、上述したように、第１のブースタ３０及び第２のブースタ５０は、受信器２０から出力された第１の放送用信号を所望のレベルで出力できるように設定されているので、第２の放送用信号のレベルを、第１の放送用信号のレベルと同一となる量に設定されていることが好ましい。具体的には、このＡＴＴ２３ａの減衰量は、第２の放送用信号のレベルを、第１の放送用信号のレベルと第２の放送用信号のレベルとの差分（例えば、１０ｄＢ〜１５ｄＢ）だけ減らす量に設定されている。
【００３８】
切替部２４ａ、２４ｂは、第１の受信経路２２と、第２の受信経路２３とを切り替える切替手段である。具体的には、図２に示すように、切替部２４ａは、例えば公知のラッチングリレー等で構成されており（切替部２４ｂ、及び後述する実施の形態４の切替部３２４についても同様とする）、入力端子２１よりも下段であり、且つ第１の受信経路２２及び第２の受信経路２３よりも上段に配置され、第１の受信経路２２又は第２の受信経路２３のいずれか一方を入力端子２１に対して切り替える。また、切替部２４ｂは、第１の受信経路２２及び第２の受信経路２３よりも下段であり、且つ出力端子２５よりも上段に配置されており、第１の受信経路２２又は第２の受信経路２３のいずれか一方を出力端子２５に対して切り替える。
【００３９】
出力端子２５は、第１の受信経路２２又は第２の受信経路２３から出力された第１の放送用信号又は第２の放送用信号を、伝送線路７０ｂを介して第１のブースタ３０に出力する出力手段である。
【００４０】
設定端子２６は、計時部２７の設定を行うための設定手段である。具体的には、図２に示すように、設定端子２６は、図示しないＰＣ等の設定器（又は図示しない操作部）と接続されることで、この図示しないＰＣ等の設定器（又は図示しない操作部）にて設定された計時部２７の設定データの入力を受け付け、当該入力された計時部２７の設定データを含む信号を制御部２９に出力する。あるいは、任意の外部通信装置を設定端子２６に接続して、遠隔的に設定データを受け付けるようにしてもよい。
【００４１】
計時部２７は、計時動作を行う計時手段である。具体的には、図２に示すように、計時部２７は、例えば公知のタイマで構成されており、設定端子２６を介して入力された当該計時部２７の設定データを含む信号に基づいて計時動作を開始し、所定の時間（又は所定の時刻）が到来すると時刻信号を制御部２９に出力する。なお、時計部２７のタイマは、制御部２９内でのＣＰＵプログラムによるタイマーカウンタで構成してもよい。
【００４２】
バッテリ２８は、受信器２０の各部に電力を供給する電力供給手段であり、例えば公知の乾電池、充電池、あるいはコンデンサ等で構成されている。
【００４３】
制御部２９は、受信器２０の各部を制御する制御手段であり、具体的には、ＣＰＵ（例えばマイコン）、当該ＣＰＵ上で解釈実行される各種のプログラム（ＯＳなどの基本制御プログラムや、ＯＳ上で起動され特定機能を実現するアプリケーションプログラムを含む）、及びプログラムや各種の制御データを格納するためのＲＡＭの如き内部メモリを備えて構成されるコンピュータである。なお、この制御部２９によって実行される制御の詳細については後述する。
【００４４】
動作表示部３１は、受信器２０の動作状態を表示する動作状態表示手段であり、具体的には、ＬＥＤや液晶ディスプレイにて構成され、受信器２０の動作状態を表示する。例えば、動作表示部３１を２色ＬＥＤで構成した場合、入力端子２１と第１の受信経路２２とが接続されていると共に、第１の受信経路２２と出力端子２５とが接続されている場合には、ＬＥＤを赤色で点灯させ、入力端子２１と第２の受信経路２３とを接続されていると共に、第２の受信経路２３と出力端子２５とが接続されている場合には、ＬＥＤを青色で点灯させる。あるいは、ＬＥＤの点滅と点灯を切り替えることで、これらの接続状態を表示するようにしてもよい。若しくは、動作表示部３１を液晶ディスプレイにて構成した場合、接続状態を液晶ディスプレイにテキスト表示してもよい。なお、接続状態の他、計時部２７における設定有無や設定内容等を動作表示部３１に表示するようにしてもよい。
【００４５】
（受信器の動作）
次に、上述のように構成された受信器２０の動作について説明する。なお、この受信器２０においては、受信器２０の電源が投入されると、当該受信器２０に含まれるすべての部品の電源がＯＮされる。また、上述したように、第２の送信所が、第１の送信所とは異なる位置に建てられているものの、受信アンテナ１０は、第１の受信方向から第１の放送用信号を受信できると共に、第２の受信方向から第２の放送用信号を受信できるものと仮定する。また、第１の送信所から第２の送信所へと送信所が変更される所定のタイミング（以下、所定のタイミングと称する）が到来する前では、第１の送信所から無線送信された第１の放送用信号が、受信アンテナ１０にて受信された後、伝送線路７０ａを介して入力端子２１に出力される。一方、所定のタイミングが到来した後では、第２の送信所から無線送信された第２の放送用信号が、受信アンテナ１０にて受信された後、伝送線路７０ａを介して入力端子２１に出力される。また、後述する制御部２９による切替部２４ａ、２４ｂの切替制御が行われる前までは、切替部２４ａによって入力端子２１と第１の受信経路２２とが接続されており、切替部２４ｂによって第１の受信経路２２と出力端子２５とが接続されている（後述する実施の形態２、３の受信器の動作についても同様とする）。
【００４６】
まず、受信器２０の電源が投入されると、上述したように、切替部２４ａによって入力端子２１と第１の受信経路２２とが接続されており、切替部２４ｂによって第１の受信経路２２と出力端子２５とが接続されているので、所定のタイミングが到来する前においては、入力端子２１に入力された第１の放送用信号は、第１の受信経路２２を介して出力端子２５に出力された後、出力端子２５から伝送線路７０ｂを介して第１のブースタ３０に出力される。このように、第１の受信経路２２によって、第１の放送用信号を所定のレベルで受信することができると共に、この第１の放送用信号を第１のブースタ３０及び第２のブースタ５０に応じたレベルで出力することができる（後述する実施の形態２、３の受信器の動作についても同様とする）。
【００４７】
また、上述した第１の放送用信号の受信動作と並行して、制御部２９は、図示しないＰＣ等から設定端子２６を介して計時部２７の設定が行われたか否か（より具体的には、図示しないＰＣ等から設定端子２６を介して計時部２７の設定データ（例えば、計時動作の開始から上記所定のタイミングまでの所定の時間（又は所定の時刻））を含む信号が入力されたか否か）を監視する。
【００４８】
ここで、計時部２７の設定が行われた場合には、制御部２９は、計時部２７によって計時動作を開始させ、計時部２７から時刻信号が出力されたか否かを監視する。
【００４９】
ここで、計時部２７から時刻信号が出力された場合には、所定のタイミングが到来したとして、制御部２９は、切替部２４ａによって入力端子２１と第２の受信経路２３とを接続させ、切替部２４ｂによって第２の受信経路２３と出力端子２５とを接続させる。これにより、所定のタイミングが到来した後、入力端子２１に入力された第２の放送用信号は、第２の受信経路２３を介して出力端子２５に出力されて、ＡＴＴ２３ａによって、第１の放送用信号と第２の放送用信号との差分だけ減衰される。そして、この減衰された第２の放送用信号は、ＡＴＴ２３ａから出力端子２５に出力された後、出力端子２５から伝送線路７０ｂを介して第１のブースタ３０に出力される。このように、第２の受信経路２３によって（より具体的には、第２の受信経路２３に設けられたＡＴＴ２３ａによって）、第２の放送用信号を、第１の放送用信号と同じレベルで受信することができると共に、第１の放送用信号と同じレベルで第１のブースタ３０に出力することができる。なお、上述した制御部２９による切替部２４ａ、２４ｂの切替制御が行われた後の切替部２４ａ、２４ｂの制御については、バッテリ２８に蓄電されていた電力がなくなった場合においても、ＡＴＴ２３ａによって第２の放送用信号が減衰されるように、例えば、制御部２９は、切替部２４ａによって入力端子２１と第２の受信経路２３とを接続させた状態、及び切替部２４ｂによって第２の受信経路２３と出力端子２５とを接続させた状態で、切替部２４ａ、２４ｂの制御を停止させる（後述する実施の形態２〜４の切替部についても同様とする）。
【００５０】
（効果）
このように実施の形態１によれば、第１の放送用信号を受信する第１の受信経路２２と、第２の放送用信号を受信する第２の受信経路２３と、第１の受信経路２２と、第２の受信経路２３とを切り替える切替部２４ａ、２４ｂを備えているので、所定の方向から第１の放送用信号及び第２の放送用信号を所定のレベルで受信することができる。そのため、例えば第１の送信所から第２の送信所へと送信所が変更された場合でも、第２の放送用信号を、第１の放送用信号と同じレベルで受信することができると共に、第１の放送用信号と同じレベルで第１のブースタ３０に出力することができる。
【００５１】
また、制御部２９が、計時部２７の計時結果に基づいて、切替部２４ａ、２４ｂの切替制御を行うので、切替部２４ａ、２４ｂの切り替えを自動的に行うことができ、且つ、第１の送信手段から第２の送信手段へと変更される必要タイミングで切替部２４ａ、２４ｂの切り替えを行うことができ、使用性を向上させることができる。
【００５２】
また、第２の受信経路２３において、第２の放送用信号のレベルを、第１の放送用信号のレベルと第２の放送用信号のレベルとの差分だけ減らすＡＴＴ２３ａを設けたので、受信アンテナ１０が第２の放送用信号を受信したときの信号のレベルが、第１の放送用信号を受信した際の信号のレベルよりも高い場合でも、この第２の放送用信号を、第１の放送用信号と同じレベルで受信することができると共に、第１の放送用信号と同じレベルで第１のブースタ３０に出力することができる。
【００５３】
〔実施の形態２〕
次に、実施の形態２について説明する。この形態は、抽出手段にて抽出された基準信号に基づいて、切替手段の制御を行う形態である。なお、特に説明なき構造については、実施の形態１の構造と同様であり、実施の形態１と略同様の構成要素、及び動作については、必要に応じて、実施の形態１で用いたのと同一の符号又は名称を付してその説明を省略する。
【００５４】
（構成−受信器）
まず、受信器の構成について説明する。図３は、実施の形態２に係る受信器の構成を示すブロック図である。図３に示すように、実施の形態２に係る受信器１２０は、実施の形態１の受信器２０の構成要素に対して、計時部２７を省略し、さらに分岐器１２１と、チューナ１２２と、抽出部１２３とを加えて構成されている。
【００５５】
分岐器１２１は、入力端子２１から出力された第１の放送用信号又は第２の放送用信号を分岐する分岐手段である。具体的には、図３に示すように、分岐器１２１は、入力端子よりも下段であり、且つ切替部２４ａよりも上段に配置されている。そして、この分岐器１２１は、当該分岐器１２１にて分岐された第１の放送用信号又は第２の放送用信号を、切替部２４ａに出力すると共に、チューナ１２２にも出力する。
【００５６】
チューナ１２２は、分岐器１２１から出力された第１の放送用信号又は第２の放送用信号から所定の周波数帯域の信号を公知の方法にて取得する取得手段である。具体的には、図３に示すように、チューナ１２２は、例えば公知のチューナで構成されており、当該チューナ１２２にて取得された所定の周波数帯域の信号を抽出部１２３に出力する。
【００５７】
抽出部１２３は、チューナ１２２にて取得された所定の周波数帯域の信号から、基準信号を抽出する抽出手段である。ここで、「基準信号」とは、切替部２４ａ、２４ｂの切り替えを行うタイミングの基準となる信号であり、例えば、切替部２４ａ、２４ｂの切り替えを行うタイミングをアナウンスする文字データ（例えば、「○月××日に、第１の送信所から第２の送信所への変更を行います」等）を含む報知信号、及び切替部２４ａ、２４ｂの切り替えを行うタイミングを受信器１２０に対して指示するコマンドを含む指示信号等を含める概念である。具体的には、図３に示すように、抽出部１２３は、例えば公知の抽出器で構成されており、当該抽出部１２３にて抽出された基準信号を制御部２９に出力する。
【００５８】
このような構成により、抽出部１２３によって抽出された第１の放送用信号又は第２の放送用信号に含まれる基準信号に基づいて、切替部２４ａ、２４ｂの制御を行うことができる。また、実施の形態１と比べて、ユーザが受信器１２０に対して所定の設定を行う必要がなくなる。
【００５９】
（受信器の動作）
次に、上述のように構成された受信器１２０の動作について説明する。なお、この説明では、第１の送信所から、上述した基準信号を含む第１の放送用信号が無線送信されるものとする。
【００６０】
まず、受信器１２０の電源が投入されると、実施の形態１で説明した第１の放送用信号の受信動作と並行して、制御部２９は、抽出部１２３によって、チューナ１２２にて取得された第１の放送用信号に含まれる所定の周波数帯域の信号から基準信号が抽出されたか否かを監視する。
【００６１】
ここで、抽出部１２３によって、基準信号が抽出されると（あるいは、基準信号が抽出されてから所定時間（例えば１０時間等）が経過した後に）、所定のタイミングが到来したとして、制御部２９は、切替部２４ａによって入力端子２１と第２の受信経路２３とを接続させ、切替部２４ｂによって第２の受信経路２３と出力端子２５とを接続させる。
【００６２】
（効果）
このように実施の形態２によれば、抽出部１２３によって抽出された第１の放送用信号又は第２の放送用信号に含まれる基準信号に基づいて、切替部２４ａ、２４ｂの制御を行うので、切替部２４ａ、２４ｂの切り替えを正確に行うことができ、信頼性を向上させることができる。また、ユーザが受信器１２０に対して所定の設定を行う必要がないので、受信器１２０の取り付けが容易となり、設置性を向上させることができる。
【００６３】
〔実施の形態３〕
次に、実施の形態３について説明する。この形態は、レベル測定手段にて測定された結果に基づいて、切替手段の制御を行う形態である。なお、特に説明なき構造については、実施の形態２の構造と同様であり、実施の形態２と略同様の構成要素、及び動作については、必要に応じて、実施の形態２で用いたのと同一の符号又は名称を付してその説明を省略する。
【００６４】
（構成−受信器）
まず、受信器の構成について説明する。図４は、実施の形態３に係る受信器の構成を示すブロック図である。図４に示すように、実施の形態３に係る受信器２２０は、実施の形態２の受信器１２０の構成要素に対して、チューナ１２２及び抽出部１２３を省略し、さらに、レベル測定部２２１を加えて構成されている。
【００６５】
レベル測定部２２１は、分岐器１２１から出力された第１の放送用信号又は第２の放送用信号のレベルを測定するレベル測定手段である。具体的には、図４に示すように、レベル測定部２２１は、例えば公知のレベル測定器で構成されており、当該レベル測定部２２１にて測定された信号のレベルを含む信号を制御部２９に出力する。
【００６６】
このような構成により、レベル測定部２２１にて測定された結果に基づいて、切替部２４ａ、２４ｂの切替制御を行うことができる。また、実施の形態２と比べて、第１の送信所から所定信号を含めた第１の放送用信号、又は第２の送信所から所定信号を含めた第２の放送用信号を送信する必要がなくなる。
【００６７】
（受信器の動作）
次に、上述のように構成された受信器２２０の動作について説明する。
【００６８】
まず、受信器２２０の電源が投入されると、実施の形態１で説明した第１の放送用信号の受信動作と並行して、制御部２９は、レベル測定部２２１にて測定された信号のレベルが、第２の放送用信号のレベル（具体的には、第２の放送用信号のレベルに対応するように設定された所定の閾値）に達したか否かを監視する。
【００６９】
ここで、入力端子２１に第２の放送用信号が入力されたことにより、レベル測定部２２１にて測定された信号のレベルが第２の放送用信号のレベルの閾値に達した場合に、所定のタイミングが到来したとして、制御部２９は、切替部２４ａによって入力端子２１と第２の受信経路２３とを接続させ、切替部２４ｂによって第２の受信経路２３と出力端子２５とを接続させる。
【００７０】
このような受信器２２０の動作においては、レベル測定部２２１にて測定された信号のレベルが第２の放送用信号のレベルの閾値に達した場合において、当該第２の放送用信号のレベルの閾値に達した状態が所定時間以上連続して経過した場合にのみ、上記切替を行うようにしてもよい。
【００７１】
第２の放送用信号のレベルの閾値の具体的数値は任意であり、絶対値として設定してもよく、あるいは、現状の受信レベルを基準とする相対値（例えば、現状の受信レベルに対して１０〜１５ｄＢだけ上のレベル）として設定してもよい。
【００７２】
この第２の放送用信号のレベルの閾値は、受信器２２０をユーザが直接操作したり、受信器２２０に接続した任意の外部通信装置を用いて遠隔的に操作することで、適宜変更することができるようにしてもよい。例えば、受信器２２０の設置位置に応じて、レベル変動量が予め予測できる場合には、その変動量よりも少し少ない値を閾値として設定しておくことで、的確なタイミングで確実に切替ができる。
【００７３】
（効果）
このように実施の形態３によれば、レベル測定部２２１にて測定された結果に基づいて、切替部２４ａ、２４ｂの切替制御を行うので、切替部２４ａ、２４ｂの切り替えを一層正確に行うことができ、信頼性も一層向上させることができる。また、第１の送信所から所定信号を含めた第１の放送用信号、又は第２の送信所から所定信号を含めた第２の放送用信号を送信する必要がないので、当該送信所の管理者の手間を省くことができ、利便性を向上させることができる。
【００７４】
〔実施の形態４〕
次に、実施の形態４について説明する。この形態は、各受信経路に対応する受信アンテナを接続する形態である。なお、特に説明なき構造については、実施の形態１の構造と同様であり、実施の形態１と略同様の構成要素、及び動作については、必要に応じて、実施の形態１で用いたのと同一の符号又は名称を付してその説明を省略する。
【００７５】
（構成）
まず、実施の形態４に係る受信システムの構成について説明する。図５は、実施の形態４に係る受信システムの全体構成を示すブロック図である。図５に示すように、実施の形態４に係る受信システム３０１は、実施の形態１の受信システム１の構成要素に対して、受信アンテナ１０を省略して、さらに、第１の受信アンテナ３１０と、第２の受信アンテナ３１１とを備えて構成されている。
【００７６】
第１の受信アンテナ３１０は、第１の送信所から第１の放送用信号を受信する受信手段である。具体的には、図５に示すように、第１の受信アンテナ３１０は、第１の受信方向に向けられている。また、この第１の受信アンテナ３１０は、伝送線路３７０ａ１を介して受信器３２０と接続されており（より具体的には、伝送線路３７０ａ１及び後述する入力端子３２１ａを介して第１の受信経路２２と接続されており）、第１の送信所から受信した第１の放送用信号を受信器３２０に出力する。
【００７７】
第２の受信アンテナ３１１は、第２の送信所から第２の放送用信号を受信する受信手段である。具体的には、図５に示すように、第２の受信アンテナ３１１は、第２の受信方向に向けられている。また、この第２の受信アンテナ３１１は、伝送線路３７０ａ２を介して受信器３２０と接続されており（より具体的には、伝送線路３７０ａ２及び後述する入力端子３２１ｂを介して第２の受信経路２３と接続されており）、第２の送信所から受信した第２の放送用信号を受信器３２０に出力する。
【００７８】
（構成−受信器）
次に、受信器３２０の構成について説明する。図６は、実施の形態４に係る受信器３２０の構成を示すブロック図である。図６に示すように、実施の形態４に係る受信器３２０は、実施の形態１の受信器２０の構成要素に対して、入力端子２１及び切替部２４ａ、２４ｂを省略し、さらに入力端子３２１ａ、３２１ｂと、切替部３２４とを加えて構成されている。
【００７９】
入力端子３２１ａは、伝送線路３７０ａ１を介して第１の受信アンテナ３１０から出力された第１の放送用信号の入力を受け付け、当該入力された第１の放送用信号を第１の受信経路２２に出力する第１の入力手段である。
【００８０】
入力端子３２１ｂは、伝送線路３７０ａ２を介して第２の受信アンテナ３１１から出力された第２の放送用信号の入力を受け付け、当該入力された第２の放送用信号を第２の受信経路２３に出力する第２の入力手段である。
【００８１】
切替部３２４は、第１の受信経路２２と、第２の受信経路２３とを切り替える切替手段である。具体的には、図６に示すように、切替部３２４は、第１の受信経路２２及び第２の受信経路２３よりも下段であり、且つ出力端子２５よりも上段に配置されており、第１の受信経路２２又は第２の受信経路２３のいずれか一方を出力端子２５に対して切り替える。
【００８２】
このような構成により、第１の受信方向と第２の受信方向とが異なる場合でも、第１の放送用信号及び第２の放送用信号を受信することができる。また、実施の形態１〜３のように受信アンテナが１本である場合と比べて、受信アンテナの受信方向を変更する必要がなくなる。
【００８３】
（受信器の動作）
次に、上述のように構成された受信器３２０の動作について説明する。なお、この受信器３２０においては、受信器３２０の電源が投入されると、当該受信器３２０に含まれるすべての部品の電源がＯＮされる。また、第１の受信アンテナ３１０は、第１の受信方向から第１の放送用信号を受信し、第２の受信アンテナ３１１は、第１の受信方向とは異なる第２の受信方向から第２の放送用信号を受信するものと仮定する。また、所定のタイミングが到来する前では、第１の送信所から無線送信された第１の放送用信号が、第１の受信アンテナ３１０にて受信された後、伝送線路３７０ａ１を介して入力端子３２１ａに出力される。一方、所定のタイミングが到来した後では、第２の送信所から無線送信された第２の放送用信号が、第２の受信アンテナ３１１にて受信された後、伝送線路３７０ａ２を介して入力端子３２１ｂに出力される。また、後述する制御部２９による切替部３２４の切替制御が行われる前までは、切替部３２４によって第１の受信経路２２と出力端子２５とが接続されている。
【００８４】
まず、受信器３２０の電源が投入されると、所定のタイミングが到来する前においては、入力端子３２１ａに入力された第１の放送用信号は、第１の受信経路２２を介して出力端子２５に出力された後、出力端子２５から伝送線路７０ｂを介して第１のブースタ３０に出力される。
【００８５】
また、上述した第１の放送用信号の受信動作と並行して、制御部２９は、図示しないＰＣ等から設定端子２６を介して計時部２７の設定が行われたか否かを監視する。
【００８６】
ここで、計時部２７から時刻信号が出力された場合には、所定のタイミングが到来したとして、制御部２９は、切替部３２４によって第２の受信経路２３と出力端子２５とを接続させる。これにより、所定のタイミングが到来した後、入力端子３２１ｂに入力された第２の放送用信号は、第２の受信経路２３を介して出力端子２５に出力された後、ＡＴＴ２３ａによって減衰される。そして、この減衰された第２の放送用信号は、ＡＴＴ２３ａから出力端子２５及び伝送線路７０ｂを介して第１のブースタ３０に出力される。
【００８７】
（効果）
このように実施の形態４によれば、第１の受信経路２２に、伝送線路３７０ａ１及び入力端子３２１ａを介して第１の受信アンテナ３１０を接続し、第２の受信経路２３に、伝送線路３７０ａ２及び入力端子３２１ｂを介して第２の受信アンテナ３１１を接続したので、第１の受信方向と第２の受信方向とが異なる場合でも、第１の放送用信号及び第２の放送用信号を正確に受信することができ、使用性を向上させることができる。また、受信アンテナが１本である場合と比べて、受信アンテナの受信方向を変更する必要がないので、ユーザの手間を省くことができ、利便性を一層向上させることができる。
【００８８】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００８９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、第１の受信経路２２が第１の放送用信号を正確に受信することができない場合であっても、この第１の受信経路２２における第１の放送用信号の受信を、従来とは異なる技術により従来と同様に達成できている場合には、本願発明の課題が解決されている。
【００９０】
（各実施の形態の組み合わせ）
上記実施の形態１〜４に示した構成は、相互に組み合わせることができる。例えば、実施の形態１に係る受信器２０に、実施の形態２に係る分岐器１２１、チューナ１２２、及び抽出部１２３、又は、実施の形態３に係る分岐器１２１、及びレベル測定部２２１を組み合わせてもよい。あるいは、実施の形態４に係る受信器３２０と、実施の形態２に係る分岐器１２１、チューナ１２２、及び抽出部１２３、又は、実施の形態３に係る分岐器１２１、及びレベル測定部２２１とを組み合わせてもよい。あるいは、実施の形態４に係る受信器３２０と、当該受信器３２０の計時部２７に代えて、実施の形態２に係る分岐器１２１、チューナ１２２、及び抽出部１２３、又は、実施の形態３に係る分岐器１２１、及びレベル測定部２２１とを組み合わせてもよい。実施の形態４に係る受信器３２０において、計時部２７に代えて、実施の形態３に係るレベル測定部２２１を用いることにより、レベル変動による切替を行ってもよい。
【００９１】
（ＡＴＴについて）
上記実施の形態１〜４では、第２の受信経路２３にＡＴＴ２３ａを設けていると説明したが、例えば、ＡＴＴ２３ａに代えて増幅器を設けてもよく、あるいは第１の受信経路２２にＡＴＴ２３ａを設けてもよい。まず、増幅器を設けることについては、具体的には、受信アンテナ１０が第２の放送用信号を受信したときの信号のレベルが、第１の放送用信号を受信した際の信号のレベルよりも低い場合に、第２の放送用信号のレベルを、第１の放送用信号のレベルと第２の放送用信号のレベルとの差分だけ増やす増幅器を第２の受信経路２３に設けてもよい。また、第１の受信経路２２にＡＴＴ２３ａを設けることについては、具体的には、所定のタイミングが到来する前に、受信システムを新設する場合において、受信アンテナ１０が第２の放送用信号を受信したときの信号のレベルが、第１の放送用信号を受信した際の信号のレベルよりも低い場合に、第１の放送用信号のレベルを、第１の放送用信号のレベルと第２の放送用信号のレベルとの差分だけ減らすＡＴＴ２３ａを第１の受信経路２２に設けてもよい。
【００９２】
また、上記実施の形態４では、第２の受信経路２３にＡＴＴ２３ａを設けていると説明したが、例えば、第２の放送用信号が、第１の放送用信号と信号のレベルが同じである場合には、ＡＴＴ２３ａを省略してもよい。
【００９３】
（切替部の制御について）
上記実施の形態１〜４では、第１の送信所から第２の送信所へと送信所が変更された場合に、制御部２９は、切替部によって、第１の受信経路２２との接続から第２の受信経路２３との接続へと切り替えさせると説明したが、これに限られない。例えば、第１の送信所から第２の送信所へと送信所が変更された後に、第２の送信所から第１の送信所へと復帰される場合に、制御部２９は、切替部によって、第２の受信経路２３との接続から第１の受信経路２２との接続に切り替えさせてもよい。
【００９４】
また、上記実施の形態１〜４では、制御部２９が切替部の制御を行うと説明したが、例えば、ユーザが切替部の切り替えを手動により行ってもよい。
【００９５】
（受信アンテナについて）
上記実施の形態１〜３の受信器に、さらに、受信アンテナ１０が第１の受信方向又は第２の受信方向に向けられるように、この受信アンテナ１０を旋回可能な旋回部を備え、制御部２９の切替部２４ａ、２４ｂの制御と連動して、この旋回部を旋回させてもよい。このような構成により、受信アンテナを設置するコストを省くことができる。
【符号の説明】
【００９６】
１、３０１  受信システム
１０  受信アンテナ
２０、１２０、２２０、３２０  受信器
２１、３２１ａ、３２１ｂ  入力端子
２２  第１の受信経路
２３  第２の受信経路
２３ａ  ＡＴＴ
２４ａ、２４ｂ、３２４  切替部
２５  出力端子
２６  設定端子
２７  計時部
２８  バッテリ
２９  制御部
３０  第１のブースタ
３１  動作表示部
４０、１２１  分岐器
５０  第２のブースタ
６０  分配器
７０ａ、７０ｂ、７０ｃ、７０ｄ、７０ｅ、７０ｆ、７０ｇ、３７０ａ１、３７０ａ２  伝送線路
１２２  チューナ
１２３  抽出部
２２１  レベル測定部
３１０  第１の受信アンテナ
３１１  第２の受信アンテナ
【図１】
2014039146.tif 000003
【図２】
2014039146.tif 000004
【図３】
2014039146.tif 000005
【図４】
2014039146.tif 000006
【図５】
2014039146.tif 000007
【図６】
2014039146.tif 000008